Podtech/llm-jp-corpus-v4-ja_patent huggingface dataset:
【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
希薄燃焼エンジンの排気ガス流からのＮＯxの排出を低下させるための触媒であって、アルミナ粒子上に分散した銀と白金族金属を含み、当該白金族金属の原子分率が約０．２５以下であることを特徴とする触媒。
【請求項２】
ラムダが１．０より大きな希薄排出ガス条件下で、ＮＯxからＮ2Ｏへの変換効率が、触媒と反応させられたＮＯxに対して約３０％より小さい請求項１に記載の触媒。
【請求項３】
ラムダが１．０より大きく、温度が約２５０℃〜４５０℃である希薄排出ガス条件下で、ＮＯxからＮ2Ｏへの変換効率が、触媒と反応させられたＮＯxに対して約３０％より小さい請求項１に記載の触媒。
【請求項４】
上記白金族金属（貴金属）の原子分率が約０．２０以下である請求項１に記載の触媒。
【請求項５】
上記白金族金属の原子分率が約０．１０以下である請求項１に記載の触媒。
【請求項６】
上記白金族金属が、白金、ロジウム、イリジウム、ルテニウム、パラジウム、およびこれらの組み合わせからなる群から選ばれる請求項１に記載の触媒。
【請求項７】
上記触媒が、実質的にアルミン酸銀を含まない請求項１に記載の触媒。
【請求項８】
上記触媒が、ヒドロキシル化アルミナ粒子の表面上にイオン性の銀と上記白金族金属とを含浸させて製造された請求項１に記載の触媒。
【請求項９】
上記ヒドロキシル化アルミナが、ベーマイト、擬ベーマイトまたはゼラチン状ベーマイト、ダイアスポア、ノルドストランダイト、バイヤライト、ギブサイト、表面にヒドロキシル基が付与されたアルミナ、及びこれらの混合物から選ばれる請求項８に記載の触媒。
【請求項１０】
上記ヒドロキシル化アルミナが擬ベーマイトを含む請求項８に記載の触媒。
【請求項１１】
上記銀と上記白金が、ヒドロキシル化アルミナ粒子上に共含浸されている請求項８に記載の触媒。
【請求項１２】
上記銀が、アルミナ粒子上に良好に分散している請求項１に記載の触媒。
【請求項１３】
請求項１に記載の触媒を含むことを特徴とする排気流用の排気処理システム。
【請求項１４】
請求項３に記載の触媒を含むことを特徴とする排気流用の排気処理システム。
【請求項１５】
上記触媒が、セラミックまたは金属製の流通型ハニカム基材上に置かれている請求項１４に記載の排気処理システム。
【請求項１６】
上記システムが、第二のセラミックまたは金属製の流通型ハニカム基材上に置かれた第二の触媒を含み、第二の触媒が、第一の触媒より高い運転温度領域を有する請求項１５に記載の排気処理システム。
【請求項１７】
ディーゼル酸化触媒、触媒煤煙フィルター、煤煙フィルター、ＮＯxトラップ、部分的炭化水素酸化触媒、硫黄トラップ、支持体上に置かれた貴金属触媒、リントラップ、およびこれらの１種以上の組合せから選ばれる部品をさらに含む請求項１６に記載の排気処理システム。
【請求項１８】
アルミナ粒子上に分散した銀と白金族金属を含み、ラムダが１．０より大きな希薄排気ガス条件下で、ＮＯxからＮ2Ｏへの変換効率が、触媒と反応させられたＮＯxに対して約３０％より小さいことを特徴とする希薄燃焼エンジンの排気ガス流からのＮＯxの排出を低下させるための触媒。
【請求項１９】
触媒の製造方法であって、
アルミナ粒子を含む支持体を提供し；
該支持体を銀化合物で含浸し； 
該支持体を白金族金属化合物で含浸して、白金族金属化合物の原子分率が約０．２５以下とし； 
該含浸支持体を乾燥し；及び
該含浸支持体を焼成することを含む方法。
【請求項２０】
上記銀と上記白金族金属が上記支持体上に共含浸されている請求項１９に記載の方法。
【請求項２１】
さらに上記支持体を水熱処理する請求項１９に記載の方法。
【請求項２２】
上記水熱処理が少なくとも約１０％の水蒸気を含む大気下で行われる請求項２０に記載の方法。
【請求項２３】
上記水熱処理が少なくとも約１時間行われる請求項２２に記載の方法。
【請求項２４】
上記銀が、酸化物として約１％〜４質量％の量で含浸される請求項１９に記載の方法。
【請求項２５】
上記表面ヒドロキシル化アルミナが、ベーマイト、擬ベーマイトまたはゼラチン状ベーマイト、ダイアスポア、ノルドストランダイト、バイヤライト、ギブサイト、表面にヒドロキシル基が付与されたアルミナ、及びこれらの混合物から選ばれる請求項１９に記載の方法。
【請求項２６】
上記白金族金属が、白金、ロジウム、イリジウム、ルテニウム、またはパラジウム、及びこれらの混合物からなる群から選ばれる請求項１９に記載の方法。
【請求項２７】
上記表面ヒドロキシル化アルミナが擬ベーマイトを含む請求項２５に記載の方法。
【請求項２８】
上記含浸法が、初期湿潤法である請求項１９に記載の方法。
【請求項２９】
上記白金族金属の原子分率が約０．２０以下である請求項１９に記載の方法。
【請求項３０】
上記白金族金属の原子分率が約０．１０以下である請求項１９に記載の方法。
【手続補正２】
【補正対象書類名】明細書
【補正対象項目名】００３２
【補正方法】変更
【補正の内容】
【００３２】
したがって、一つ以上の実施様態においては、表面がヒドロキシル化されたアルミナ支持体上にイオン性の銀を付着させて製造されたアルミナ坦持の銀と白金族金属を含む、希薄燃焼エンジンの排気ガス流からのＮＯxの排出を低下させるための触媒が提供される。なおここで、「ヒドロキシル化された」とは、例えばベーマイトや、擬ベーマイトまたはゼラチン状ベーマイト、ダイアスポア、ノルドストランダイト、バイヤライト、ギブサイトのように、得られた状態のアルミナにおいて、アルミナの表面が表面ヒドロキシル基を有していることを意味する。
【手続補正３】
【補正対象書類名】明細書
【補正対象項目名】００３３
【補正方法】変更
【補正の内容】
【００３３】
一つ以上の実施様態によれば、表面ヒドロキシル化されたアルミナ支持体が支持体として用いられる。なおここで、「ヒドロキシル化された」とは、例えばベーマイトや、擬ベーマイトまたはゼラチン状ベーマイト、ダイアスポア、ノルドストランダイト、バイヤライト、ギブサイトのように、得られた状態アルミナにおいて、アルミナ表面が表面ヒドロキシル基を有していることを意味する。擬ベーマイトとゼラチン状ベーマイトは、一般的には非結晶性またはゼラチン状の材料に分類され、ダイアスポアやノルドストランダイト、バイヤライト、ギブサイト、ベーマイトは一般的には結晶性材料に分類される。本発明の一つ以上の実施様態においては、ヒドロキシル化されたアルミナは、式Ａｌ（ＯＨ）xＯy、（式中、ｘ＝３−２ｙであり、ｙ＝０〜１である）で表されるのものまたはその一部である。その製造において、これらのアルミナは、表面ヒドロキシル基の多くあるいはほとんどが除去される高温焼成に曝されていない。
【手続補正書】
【提出日】平成22年2月10日(2010.2.10)
【手続補正１】
【補正対象書類名】明細書
【補正対象項目名】０００６
【補正方法】変更
【補正の内容】
【０００６】
従って、本発明の目的は、改良したエマルション型製品を提供することである。
特に、本発明の目的は、日焼け防止製品であるエマルション型製品を提供することである。
さらに、化粧品であるエマルション型製品を提供することが本発明の目的である。
本発明の１つの態様は、少なくとも１０重量％の２〜８個の炭素原子を有するモノアルコール、１〜６重量％の水、親水性コロイドおよび水との非混和性成分（非水混和性成分）の少なくとも１種を含有するエマルション型製品に関する。
本発明の他の態様は、人の皮膚に適用された後に、水と接触されると製品の日焼け防止指数が高い濡れ日焼け防止指数まで上昇され得る静的日焼け防止指数を有する日焼け防止製品に関する。
【手続補正２】
【補正対象書類名】明細書
【補正対象項目名】０００７
【補正方法】変更
【補正の内容】
【０００７】
本発明の更に他の態様は、エマルション型製品の製造法であって、
(ｉ)１種以上の水との非混和性成分を含む水との非混和性相（非水混和性相）を提供し、
(ii) 少なくとも１０重量％の２〜８個の炭素原子を有するモノアルコールと１〜６重量％の水と親水性コロイドとを混合して水／アルコール混合液を提供し、そして
(iii ) (ｉ)の水との非混和相と(ii)の水／アルコール混合液とを混合してエマルション型製品を得る、
少なくとも１０重量％の２〜８個の炭素原子を有するモノアルコール、１〜６重量％の水、親水性コロイドおよび水との非混和性成分の少なくとも１種を含有する前記製造法を提供することである。
【手続補正３】
【補正対象書類名】明細書
【補正対象項目名】０００８
【補正方法】変更
【補正の内容】
【０００８】
さらに、本発明の他の態様は、少なくとも１０重量％の２〜８個の炭素原子を有するモノアルコール、１〜６重量％の水、親水性コロイドおよび水との非混和性成分の少なくとも１種および活性成分を含むエマルション型製品を含有する配合物に関する。
さらに、本発明の態様は、少なくとも１種の日焼け防止剤と組み合わせて本発明によるエマルション型製品の日焼け防止製品としての利用法、本発明によるエマルション型製品の活性成分用のキャリヤー物質としての利用法、を含む。
【手続補正４】
【補正対象書類名】特許請求の範囲
【補正対象項目名】全文
【補正方法】変更
【補正の内容】
【特許請求の範囲】
【請求項１】
少なくとも１０重量％の２〜８個の炭素原子を有するモノアルコール、１〜６重量％の水、親水性コロイドおよび少なくとも１種の非水混和性成分を含むエマルション型製品。
【請求項２】
製品が、製品５０重量％と水５０重量％の混合物について２０℃にて測定して４ｍｓ／ｃｍ未満の導電率、４以上のｐＨを有する請求項１に記載のエマルション型製品。
【請求項３】
製品がさらに、アルコキシル化アルコール、１０個以上の炭素原子を有する高級脂肪族アルコール、および／又はシロキサン又はシランを含む請求項１又は２に記載のエマルション型製品。
【請求項４】
前記親水性コロイドが、ヒドロキシプロピルセルロースである請求項１〜３のいずれか１項に記載のエマルション型製品。
【請求項５】
製品がさらに、合成ポリマー、エステル、ベンゾフェノン、ケトンおよび／又はエーテルを含む請求項１〜４のいずれか１項に記載のエマルション型製品。
【請求項６】
製品が、日焼け防止製品、化粧用製品又は活性成分用のキャリヤーである請求項１〜５のいずれか１項に記載のエマルション型製品。
【請求項７】
日焼け防止製品が、人の皮膚に適用された後の静的日焼け防止指数を有するものであり、該日焼け防止指数は、日焼け防止製品が水と接触されるとき、より高い濡れ日焼け防止指数まで上昇され得る請求項６に記載のエマルション型製品。
【請求項８】
少なくとも１０重量％の２〜８個の炭素原子を有するモノアルコール、１〜６重量％の水、親水性コロイドおよび少なくとも１種の非水混和性成分を含むエマルション型製品の製造法であって、
(ｉ)１種以上の非水混和性成分を含む非水混和性相を提供し、
(ii) 少なくとも１０重量％の２〜８個の炭素原子を有するモノアルコールと１〜６重量％の水と親水性コロイドとを混合して水／アルコール混合液を提供し、そして
(iii ) (ｉ)の非水混和性相と(ii)の水／アルコール混合液とを混合してエマルション型製品を得る
工程を含む、エマルション型製品の製造法。
【請求項９】
(ｉ)の工程で、少なくとも２種の非水混和性成分が混合されるか、又は複数の非水混和性成分が、混合物に別々に混入される請求項８に記載の製造法。
【請求項１０】
非水混和性成分の少なくとも２種が互いに不溶性である請求項８又は９に記載の製造法。
【請求項１１】
少なくとも１種のエステル、少なくとも１種のベンゾフェノン、少なくとも１種のケトンおよび／又は少なくとも１種のエーテルが加えられ、前記エステル、ベンゾフェノン、ケトンおよび／又はエーテルが、シンナメート、ベンゾエート、クリレン、ベンゾフェノン、ケトンおよび／又はこれらの任意の組み合わせからなる群から選択される請求項８〜１０のいずれか１項に記載の製造法。
【請求項１２】
(iii ) の工程の水／アルコール混合液を加える前に、(ｉ)の工程で得られた水との非混和性相に、アクリレートコポリマー、例えばオクチルアクリルアミドコポリマー、および／又はステアリルエーテル、例えばＰＰＧ−１５ステアリルエーテル、ＰＰＧ１５又はその組み合わせ、および／又はヘキシルデカノール、および／又はポリシロキサン、例えば環状ジメチルポリシロキサン又はシクロペンタシロキサンが加えられる請求項８〜１１のいずれか１項に記載の製造法。
【請求項１３】
１〜６重量％の水を加える前に、(ii)の工程で少なくとも１０重量％の２〜８個の炭素原子を有するモノアルコールに、ヒドロキシプロピルセルロースであるセルロース化合物が加えられる請求項８〜１２のいずれか１項に記載の製造法。
【請求項１４】
請求項８〜１３のいずれか１項に記載の製造法によって得られるエマルション型製品。
【請求項１５】
少なくとも１種の日焼け防止剤と組み合わせた、請求項１〜７、１４のいずれか１項に記載のエマルション型製品の日焼け防止製品としての使用法。
【請求項１６】
請求項１〜７、１４のいずれか１項に記載のエマルション型製品の活性成分用のキャリヤー物質としての使用法。
【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
（ａ）Ｈ２Ｏ２と、ＴｉＣｌ４、ＴｉＯＣｌ２、ＴｉＣｌ３、ＴｉＢｒ４、Ｔｉ（ＳＯ４）２・ｍＨ２Ｏ、ＴｉＯＳＯ４・ｎＨ２Ｏ、テトラメトキシチタン、テトラエトキシチタン、テトラ−ｎ−プロポキシチタン、テトライソプロポキシチタン、テトラ−ｎ−ブトキシチタン、テトライソブトキシチタン、テトラ−ｓｅｃ−ブトキシチタン、テトラ−ｔ−ブトキシチタン、テトラアルコキシチタン、及びテトラステアリルオキシチタン、並びにこれらの組合せからなる群から選択されるチタン化合物とを混合することによってＴｉ−ペルオキソ錯体を形成する段階と、
（ｂ）前記Ｔｉ−ペルオキソ錯体を５０℃超の温度で加熱し、ナノサイズＴｉＯ２粒子を含有する溶液を形成する段階と
を含む、ナノサイズＴｉＯ２を製造するための方法。
【請求項２】
前記温度が１００℃以下である、請求項１に記載の方法。
【請求項３】
段階（ａ）において、前記Ｈ２Ｏ２及び前記チタン化合物が、アルカリ；ＳＯ４２−、ＮＯ３−及びＦ−を含有する化合物；並びにこれらの組合せからなる群から選択される化学薬品と混合して、アナターゼＴｉＯ２の形成を促進させる、請求項１に記載の方法。
【請求項４】
前記アルカリが、ＮＨ４ＯＨ、ＮａＯＨ、ＫＯＨ、ＬｉＯＨ、Ｃａ（ＯＨ）２、Ｍｇ（ＯＨ）２、Ｂａ（ＯＨ）２、Ｎａ（ＣＯ）３、Ｋ（ＣＯ）３、ヒドロキシルアミン、ヒドラジン及びエタノールアミンからなる群から選択される、請求項３に記載の方法。
【請求項５】
前記ＳＯ４２−、ＮＯ３−及びＦ−イオンを含有する化合物が、Ｈ２ＳＯ４、ＨＮＯ３及びＮａＦからなる群から選択される、請求項３に記載の方法。
【請求項６】
段階（ａ）において、前記Ｈ２Ｏ２及び前記チタン化合物が、金属の塩と混合されて、金属ドープされたＴｉＯ２粒子を形成する、請求項１又は３に記載の方法。
【請求項７】
金属コートされたＴｉＯ２粒子を形成するために、段階（ａ）及び（ｂ）によって形成されたナノサイズＴｉＯ２粒子を含有する溶液に、金属の塩を添加する段階をさらに含む、請求項１又は３に記載の方法。
【請求項８】
前記金属が、Ｖ、Ｃｒ、Ｍｎ、Ｆｅ、Ｃｏ、Ｎｉ、Ｃｕ、Ｚｎ、Ｇｅ、Ｍｏ、Ｒｕ、Ｒｈ、Ｐｄ、Ａｇ、Ｓｎ、Ｗ、Ｐｔ、Ａｕ、Ｓｒ、Ａｌ及びＳｉからなる群から選択される、請求項６に記載の方法。
【請求項９】
前記金属が、Ｖ、Ｃｒ、Ｍｎ、Ｆｅ、Ｃｏ、Ｎｉ、Ｃｕ、Ｚｎ、Ｇｅ、Ｍｏ、Ｒｕ、Ｒｈ、Ｐｄ、Ａｇ、Ｓｎ、Ｗ、Ｐｔ、Ａｕ、Ｓｒ、Ａｌ及びＳｉからなる群から選択される、請求項７に記載の方法。
【請求項１０】
前記温度が８０℃超である、請求項１に記載の方法。
【請求項１１】
前記温度が８０℃未満である、請求項１に記載の方法。
【請求項１２】
前記温度が８０℃である、請求項１に記載の方法。
【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
砕いた石膏、ファイバー状の補強用材料のホスト粒子、および少なくとも６０重量％の液体を有するスラリーを作るのに十分な水からなる液体を混合する工程、
スラリーを加圧下加熱してホスト粒子および水の存在下石膏を焼成することにより、水および硫酸カルシウムアルファ半水和物結晶を含むスラリー混合物を形成することにより、工程、
スラリー混合物を、ヘッドボックスを経て平らな多孔性の形成用布帛の上面のパネル形成用域へ供給する工程、
形成用布帛の一部の上に横方向の部材を、その下流部分がヘッドボックスの下流の一部またはヘッドボックスの下流の下にあるように配置する工程、
補強用メッシュを、ヘッドボックスの下でかつ横方向の部材の上を通してパネル形成用域の形成用池状装置中に導いてそのスラリー混合物に補強用メッシュを埋め込む工程、その場合横方向の部材がメッシュの移動方向に対して横方向に延在している、
スラリー混合物から水を除いて、メッシュがパネルマット中に埋め込まれたパネルマットを形成する工程、
メッシュが埋め込まれたパネルマットをプレスする工程、
プレスされたパネルマットの焼成石膏を再水和して、結合したホスト粒子および石膏とボード中に埋め込まれたメッシュとを含むボードを形成する工程、および
ボードを乾燥してメッシュが完成されたボード中に埋め込まれた完成されたボードを得る工程
からなることを特徴とする石膏／ファイバーボードを製造する方法。
【請求項２】
横方向の部材が、形成用布帛の一部の上に位置するシートからなり、該シートは、上流の部分、下流の部分および上流部分と下流部分との間の中間の部分を有し、
上流の部分が、ヘッドボックスの上流の縁の上流にあり、
中間の部分がヘッドボックスの下にあり、
補強用メッシュが、シートとヘッドボックスとの間を通って形成用池状装置に入って、形成用池状装置中のスラリー混合物に埋め込まれる請求項１の方法。
【請求項３】
横方向の部材が、シートの下流部分に取り付けた細長い部材をさらに含み、細長い部材がメッシュの移動方向に対して横方向の縦軸を有する請求項２の方法。
【請求項４】
メッシュが、パネル形成用域で形成用ベルトの上に間隔をおいて配置されている請求項１の方法。
【請求項５】
ホスト粒子が、懸濁および／または溶解した石膏を含むスラリー溶媒により浸透可能な空所をそれらの表面および／またはそれらの本体内に有し、該スラリーは、ホスト粒子中の浸透可能な空所を実質的に浸しそして加圧下加熱されたとき針状の硫酸カルシウムアルファ半水和物結晶の形成を促進するのに十分なほど希釈されており、
スラリーは、加圧容器中で連続攪拌下、石膏を焼成して硫酸カルシウムアルファ半水和物にするのに十分な温度に加熱され、そしてスラリーは、少なくともいくらかの硫酸カルシウム半水和物がホスト粒子の空所中およびそれらの周りで実質的に結晶するまで、上記の温度に維持される請求項１の方法。
【請求項６】
シートが、シートの底部がヘッドボックスの下で形成用布帛と接触する最低の高さ、およびヘッドボックスの上流でメッシュの送入点でのシートの最高の高さ、およびシートの下流末端での中間の高さを有する倒立のＳ字状の曲がりを有する請求項２の方法。
【請求項７】
ホスト粒子が、ファイバー、チップおよびフレークからなる群から選ばれるセルロース性粒子である請求項１の方法。
【請求項８】
ホスト粒子が木質ファイバーを含み、そして混合物中の固体が該木質ファイバーの０．５−３０重量％を占める請求項１の方法。
【請求項９】
スラリーが少なくとも７０−９５重量％の水を含む請求項１の方法。
【請求項１０】
メッシュが非弾性メッシュ、ガラスファイバーメッシュまたは織物である請求項１の方法。
【請求項１１】
砕いた石膏、ファイバー状の補強用材料のホスト粒子、および少なくとも６０重量％の液体を有するスラリーを作るのに十分な水からなる液体を混合する混合機、
スラリーを加圧下加熱して、水および硫酸カルシウムアルファ半水和物結晶を含むスラリー混合物を形成することにより、ホスト粒子および水の存在下石膏を焼成する反応器、
スラリー混合物を、ヘッドボックスを経てパネル形成用域の形成用池状装置へ平らな多孔性の形成用布帛の上面にわたって供給するヘッドボックス、
形成用布帛の一部の上にあって、横方向の部材の下流部分がヘッドボックスの下流の一部またはヘッドボックスの下流の下にある横方向の部材、
ヘッドボックスと横方向の部材との間にあって、補強用メッシュを横方向の部材とヘッドボックスとの間、次に形成池状装置中に供給して補強用メッシュを形成用池状装置中のスラリー混合物に埋め込む空間、
スラリー混合物から水を除いて、メッシュがパネルマット中に埋め込まれたパネルマットを形成する真空手段、
メッシュが埋め込まれたパネルマットをプレスする第１のプレス、
プレスされたパネルマットの焼成した石膏を再水和して、メッシュがボード中に埋め込まれた結合したホスト粒子および石膏を含むボードを形成する第２のプレス、および
ボードを乾燥して水を除きそしてメッシュが完成されたボード中に埋め込まれた完成されたボードを生成する乾燥機
からなることを特徴とする石膏／ファイバーボードを製造する装置。
【請求項１２】
横方向の部材が、形成用布帛の一部の上に位置するシートからなり、該シートは、上流の部分、下流の部分および上流部分と下流部分との間の中間の部分を有し、
上流の部分が、ヘッドボックスの上流の縁の上流であり、
中間の部分がヘッドボックスの下にあり、
シートが、ヘッドボックスから間隔をおいて配置されて、それを補強用メッシュが通る空間を形成する請求項１１の装置。
【手続補正書】
【提出日】平成22年8月12日(2010.8.12)
【手続補正１】
【補正対象書類名】特許請求の範囲
【補正対象項目名】全文
【補正方法】変更
【補正の内容】
【特許請求の範囲】
【請求項１】
基層（１２）と、
１００％固体熱可塑性ポリウレタンから成り、内部に空隙を有する圧縮層（１５）と、
印刷面層（１８）と、
を備えることを特徴とする印刷ブランケット又はスリーブ。
【請求項２】
前記１００％固体熱可塑性ポリウレタンは、ポリエステルベースのポリウレタンであることを特徴とする請求項１に記載のブランケット又はスリーブ。
【請求項３】
前記基層は、布、金属、又は１００％固体熱可塑性ポリウレタンから成ることを特徴とする請求項１に記載のブランケット又はスリーブ。
【請求項４】
前記印刷面層は、ゴムから成ることを特徴とする請求項１に記載のブランケット又はスリーブ。
【請求項５】
前記印刷面層は、１００％固体熱可塑性ポリウレタンから成ることを特徴とする請求項１に記載の印刷ブランケット又はスリーブ。
【請求項６】
前記印刷面層の下に位置し、布、又は１００％固体熱可塑性ポリウレタンから成る熱可塑性ポリウレタンアロイから成る画像補強層（１７）を更に備えることを特徴とする請求項１に記載の印刷ブランケット又はスリーブ。
【請求項７】
前記画像補強層は、前記印刷面層のショアーＡ硬度よりも大きいショアーＡ硬度を有する１００％固体熱可塑性ポリウレタンから成ることを特徴とする請求項１に記載の印刷ブランケット又はスリーブ。
【請求項８】
前記画像補強層は、約７０乃至９５のショアーＡ硬度を有することを特徴とする請求項７に記載の印刷ブランケット又はスリーブ。
【請求項９】
補強布層（１４）を更に備えることを特徴とする請求項１に記載の印刷ブランケット又はスリーブ。
【請求項１０】
前記印刷面層は、内部に鉱物質てん料を有していることを特徴とする請求項１に記載の印刷ブランケット。
【請求項１１】
水、湿し水、又はブランケット洗浄液に晒されたときに３．５％未満の膨潤度を呈することを請求項１に記載の印刷ブランケット。
【請求項１２】
圧縮層を有する印刷ブランケット又はスリーブの製作方法であって、
布、金属、高分子化合物、又は１００％固体熱可塑性ポリウレタンから成る基層（１２）を供し、
１００％固体熱可塑性ポリウレタンから成り、内部に空隙を有する圧縮層（１５）を、前記基層上に供し、
前記圧縮層上に印刷面層（１８）を供することを特徴とする印刷ブランケット又はスリーブの製作方法。
【請求項１３】
前記圧縮層は、前記基層上に液状で当てられ、また予備発泡微小球、非発泡微小球、発泡剤、及び浸出添加剤から選択された空隙生成材料を含むことを特徴とする請求項１２に記載の方法。
【請求項１４】
前記圧縮層と前記印刷面層の間に画像補強層を供するステップを更に備えることを特徴とする請求項１２に記載の方法。
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
円筒体を有するフィルタであって、内部に複数の開口が形成されたエキスパンドメタルが複数層を有する円筒形状にロール巻きされ、
（ｉ）前記開口は列を成して配置され、隣接する層について、列のピッチが異なり、
（ｉｉ）前記エキスパンドメタルは、一片として形成される、
ことを特徴とするフィルタ。
【請求項２】
前記ピッチは、半径方向に隣接する開口の入れ子状態を低減するように、ロール巻きにされたフィルタの前記エキスパンドメタルの所定の部分によって画定される外周に応じて変わることを特徴とする請求項１記載のフィルタ。
【請求項３】
円筒体を有するフィルタであって、内部に複数の開口が形成されたエキスパンドメタルが複数層を有する円筒形状にロール巻きされ、
（ｉ）隣接する層について、前記開口のサイズが異なり、
（ｉｉ）前記エキスパンドメタルは、一片として形成される、
ことを特徴とするフィルタ。
【請求項４】
ロール巻きにされたフィルタの半径方向に隣接する開口の入れ子状態を低減するように、前記開口のサイズが変わることを特徴とする請求項３記載のフィルタ。
【請求項５】
円筒体を有するフィルタであって、内部に複数の開口が形成されたエキスパンドメタルが複数層を有する円筒形状にロール巻きされ、
（ｉ）隣接する層について、前記開口の形状が異なり、
（ｉｉ）前記エキスパンドメタルは、一片として形成される、
ことを特徴とするフィルタ。
【請求項６】
ロール巻きにされたフィルタの半径方向に隣接する開口の入れ子状態を低減するように、前記開口の形状が変わることを特徴とする請求項５記載のフィルタ。
【請求項７】
前記エキスパンドメタルが、開口を含まない領域を含むことを特徴とする請求項１から６いずれか１項記載のフィルタ。
【請求項８】
前記エキスパンドメタルが、長い辺および短い辺を有し、前記フィルタは、長い辺を連結する軸の周りに巻かれることを特徴とする請求項１から６いずれか１項記載のフィルタ。
【請求項９】
前記エキスパンドメタルが、長い辺および短い辺を有し、前記フィルタは、短い辺を連結する軸の周りに巻かれることを特徴とする請求項１から６いずれか１項記載のフィルタ。
【請求項１０】
前記フィルタが、エアバッグ装置のインフレータに使用されることを特徴とする請求項１から６いずれか１項記載のフィルタ。
【請求項１１】
フィルタを作製する方法であって、
（ａ）複数の開口を有する金属シートを提供し、
（ｂ）前記ステップ（ａ）のシートからより小さいシートを切断し、
（ｃ）前記ステップ（ｂ）の前記より小さいシート自身をロール巻きにすることによって、複数の層を有する筒を形成し、および
（ｄ）前記ステップ（ｃ）の前記筒を溶接によって固定する、
各ステップを含み、
前記開口は列を成して配置され、隣接する層について、列のピッチが異なることを特徴とする方法。
【請求項１２】
前記ピッチは、半径方向に隣接する開口の入れ子状態を低減するように、ロール巻きにされたフィルタの前記エキスパンドメタルの所定の部分によって画定される外周に応じて変わることを特徴とする請求項１１記載のフィルタ。
【請求項１３】
フィルタを作製する方法であって、
（ａ）複数の開口を有する金属シートを提供し、
（ｂ）前記ステップ（ａ）のシートからより小さいシートを切断し、
（ｃ）前記ステップ（ｂ）の前記より小さいシート自身をロール巻きにすることによって、複数の層を有する筒を形成し、および
（ｄ）前記ステップ（ｃ）の前記筒を溶接によって固定する、
各ステップを含み、
前記開口は全てが同じサイズではなく、該開口は、ロール巻きにされたフィルタの隣接する層について、開口のサイズが異なるように配置されることを特徴とする方法。
【請求項１４】
前記サイズは、ロール巻きにされたフィルタの半径方向に隣接する開口の入れ子状態を低減するように変わることを特徴とする請求項１３記載の方法。
【請求項１５】
フィルタを作製する方法であって、
（ａ）複数の開口を有する金属シートを提供し、
（ｂ）前記ステップ（ａ）のシートからより小さいシートを切断し、
（ｃ）前記ステップ（ｂ）の前記より小さいシート自身をロール巻きにすることによって、複数の層を有する筒を形成し、および
（ｄ）前記ステップ（ｃ）の前記筒を溶接によって固定する、
各ステップを含み、
前記開口は全てが同じ形状ではなく、該開口は、ロール巻きにされたフィルタの隣接する層について、開口の形状が異なるように配置されることを特徴とする方法。
【請求項１６】
前記形状は、ロール巻きにされたフィルタの半径方向に隣接する開口の入れ子状態を低減するように変わることを特徴とする請求項１５記載の方法。
【請求項１７】
前記より小さいシートが、開口を含まない領域を含むことを特徴とする請求項１１から１６いずれか１項記載の方法。
【請求項１８】
前記より小さいシートが、長い辺および短い辺を有し、前記ステップ（ｃ）において、前記長い辺を連結する軸の周りに前記より小さいシート自身がロール巻きされることを特徴とする請求項１１から１６いずれか１項記載の方法。
【請求項１９】
前記より小さいシートが、長い辺および短い辺を有し、前記ステップ（ｃ）において、前記短い辺を連結する軸の周りに前記より小さいシート自身がロール巻きされることを特徴とする請求項１１から１６いずれか１項記載の方法。
【請求項２０】
前記フィルタをエアバッグ装置のインフレータに使用するステップをさらに含むことを特徴とする請求項１１から１６いずれか１項記載の方法。
【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
金属酸化物粒子の製造方法であって、
ａ）
コア有機材料、
化学的に開裂されることが可能な第１の連結基を介して前記コア有機材料に結合した第１のデンドロンであって、少なくとも２つの第１架橋性基を有する第１デンドロン、及び
化学的に開裂されることが可能な第２の連結基を介して前記コア有機材料に結合した第２のデンドロンであって、少なくとも２つの第２架橋性基を有する第２デンドロンを含むデンドリマーを提供すること；
ｂ）前記第１架橋性基と前記第２架橋性基とを反応させることによって架橋されたデンドリマーを形成すること；
ｃ）前記第１連結基と前記第２連結基の両方を化学反応によって開裂すること；
ｄ）前記コア有機材料又はその誘導体を、架橋されたデンドリマーから除去して、内部末端基を有するコア抜きされたデンドリマーを形成すること；
ｅ）前記コア抜きされたデンドリマーの中央領域の中で、金属含有前駆体を前記内部末端基と反応させることによって、結合金属含有前駆体を形成すること；及び
ｆ）前記結合金属含有前駆体を反応させて、前記コア抜きされたデンドリマーの前記中央領域の中に金属酸化物粒子を含む複合粒子を形成すること、を含む方法。
【請求項２】
複合粒子であって、
有機材料を含まない中央内部領域を取り囲んでいる架橋されたデンドロンからなるコア抜きされたデンドリマー、及び
前記コア抜きされたデンドリマーの中の金属酸化物粒子を含む複合粒子。
【手続補正書】
【提出日】平成22年9月6日(2010.9.6)
【手続補正１】
【補正対象書類名】明細書
【補正対象項目名】００１５
【補正方法】変更
【補正の内容】
【００１５】
特に、搬送面５を、製品ユニット２の搬送方向Ａへの搬送をサポートするモータ駆動式の搬送要素として形成するのが好ましい。ここで、この搬送要素の速度は、図示の実施形態においては駆動要素６の搬送速度よりも遅く設定されている。なお、搬送要素は、製品ユニット２を供給及び搬出するためのものである。
【手続補正２】
【補正対象書類名】明細書
【補正対象項目名】００１８
【補正方法】変更
【補正の内容】
【００１８】
なお、搬送路１での始点である導入部又は終点である搬出部における下側区間６．１と上側区間６．２の間の移行部は、符号６．３又は符号６．４で示されている。
【手続補正書】
【提出日】平成22年9月1日(2010.9.1)
【手続補正１】
【補正対象書類名】特許請求の範囲
【補正対象項目名】全文
【補正方法】変更
【補正の内容】
【特許請求の範囲】
【請求項１】
下記式Iによって表されるS1P3受容体においてアンタゴニスト活性を有する新規な化合物
【化１】
2010504286.tif 000001
(式中、Xは、CR3及びNからなる群より選ばれ;
Yは、CR3及びNからなる群より選ばれ;
Zは、CR3及びNからなる群より選ばれ;
X、Y及びZの少なくとも一つは、Nであり;
Wは、NR3又はOであり;
R1は、アリール基であり;
R2は、アリール基であり、
R3は、H及びアルキルからなる群より選ばれ、前記R3基の2つがNと一緒になって炭素原子2〜6個を有する複素環を形成してもよく;
R4は、H、アルキル、OR3、及びN(R3)2からなる群より選ばれ;
aは、0又は1〜6の整数であり;
bは、0又は1であり;
cは、0又は1〜6の整数であり;
dは、0又は1であり;
eは、0又は1であり;
uは、0又は1であり;
vは、0又は1〜2の整数であり;
xは、0又は1であり;
yは、0又は1〜3の整数であり;
zは、0又は1〜3の整数であり;
但し、dが0である場合、eは1であり、eが0である場合、dは1である)。
【請求項２】
R1が、フェニル及びその置換誘導体からなる群より選ばれ;
R2が、好ましくは、フェニル、フラニル、チエニル、ピリジル、ピラニル及びこれらの置換誘導体からなる群より選ばれ;
R3が、H及び低級アルキルからなる群より選ばれ;
R4が、H及び低級アルキルからなる群より選ばれ;
aが、0又は1〜3の整数であり;
cが、0又は1〜5の整数である、請求項1に記載の化合物。
【請求項３】
eが0である、請求項2に記載の化合物。
【請求項４】
R1が、下記一般式によって表される、請求項3に記載の化合物
【化２】
2010504286.tif 000002
(式中、R5は、H、アルキル、トリフルオロメチル、トリフルオロメチルオキシ、ハロ及び低級アルキルチオからなる群より選ばれる)。
【請求項５】
R2が、フラニル、チエニル、ピリジル及びピラニルからなる群より選ばれるか又はR2が、下記一般式によって表される、請求項4に記載の化合物
【化３】
2010504286.tif 000003
(式中、R5は、H、アルキル、トリフルオロメチル、トリフルオロメチルオキシ、ハロ、及び低級アルキルチオからなる群より選ばれる)。
【請求項６】
dが0である、請求項2に記載の化合物。
【請求項７】
R1が、下記一般式によって表される、請求項６に記載の化合物
【化４】
2010504286.tif 000004
(式中、R5は、H、アルキル、トリフルオロメチル、トリフルオロメチルオキシ、ハロ、及び低級アルキルからなる群より選ばれる)。
【請求項８】
R2が、フラニル、チエニル、ピリジル及びピラニルからなる群より選ばれるか、又はR2が、下記一般式によって表される、請求項７に記載の化合物
【化５】
2010504286.tif 000005
(式中、R5は、H、低級アルキル、トリフルオロメチル、トリフルオロメチルオキシ、ハロ、及び低級アルキルからなる群より選ばれる)。
【請求項９】
R3がHである、請求項８に記載の化合物。
【請求項１０】
R4が、H、メチル及びエチルからなる群より選ばれる、請求項９に記載の化合物。
【請求項１１】
ZがNであり、X及びYがCR3であり、R2がピリジルであり、R5が、H、メチル、エチル、プロピル及びトリフルオロメチルからなる群より選ばれる、請求項１０に記載の化合物。
【請求項１２】
X、Y及びZが、Nであり、R5が、H、メチル、エチル、プロピル及びトリフルオロメチルからなる群より選ばれる、請求項１０に記載の化合物。
【請求項１３】
X及びZがNであり、YがCR3である、請求項１０に記載の化合物。
【請求項１４】
下記の化合物からなる群より選ばれる、請求項１に記載の化合物。
【化６】
2010504286.tif 000006
2010504286.tif 000007
2010504286.tif 000008
2010504286.tif 000009
2010504286.tif 000010
2010504286.tif 000011
2010504286.tif 000012
2010504286.tif 000013
2010504286.tif 000014
2010504286.tif 000015
【請求項１５】
下記の化合物からなる群より選ばれる、請求項１４に記載の化合物。
【化７】
2010504286.tif 000016
2010504286.tif 000017
2010504286.tif 000018
2010504286.tif 000019
2010504286.tif 000020
2010504286.tif 000021
【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
医薬組成物であって：  
a)以下の式Iで表される少なくとも1つのアミン化合物又はその残基を含む少なくとも1つのアミンポリマーと:
【化１】
2010504285.tif 000001
(式中、
nは、独立に、1〜20の整数を表し;
R1は、独立に、水素基、ヒドロキシル基又は-OR3を表し;
R1aは、独立に、R1、-R2OH又は-R2OR3を表し;但し、前記アミン化合物は、R3で表される少なくとも1つの部分を含み;
R2は、独立に、置換又は非置換のアルキル基を表し;
R3は、独立に、以下の式IIで表される基を表し:
【化２】
2010504285.tif 000002
p、q及びrは、独立に、0〜2の整数を表し;
R4は、独立に、
【化３】
2010504285.tif 000003
を表し;
mは、独立に、1〜20の整数を表し;
R5は、独立に、水素基;置換又は非置換のアルキル基;置換又は非置換のアリール基を表し;或いはR5及び隣接するR5は一緒になって、架橋剤の残基、置換又は非置換の脂環式基、置換又は非置換の芳香族基、或いは置換又は非置換の複素環式基を含む結合を表し;或いはR5は、別の化合物又はその残基との結合を表す);
b)架橋剤又はその残基と;
c)医薬として許容し得る賦形剤と;
を含む、前記医薬組成物。
【請求項２】
前記アミン化合物が以下の式IIIで表される、請求項1記載の組成物:
【化４】
2010504285.tif 000004
。
【請求項３】
前記アミン化合物が以下の式IVで表される、請求項2記載の組成物:
【化５】
2010504285.tif 000005
。
【請求項４】
前記アミン化合物が以下の式Vで表される、請求項1記載の組成物:
【化６】
2010504285.tif 000006
。
【請求項５】
前記アミン化合物が以下の式VIで表される、請求項4記載の組成物:
【化７】
2010504285.tif 000007
。
【請求項６】
前記アミン化合物又はその残基が、エリトロース、トレオース、リボース、アラビノース、キシロース、リキソース、アロース、アルトロース、グルコース、マンノース、グロース、イドース、ガラクトース、タロース、セドヘプツロース、ソルボース、ペンタエリトロース、又はそれらの部分的若しくは完全水素化誘導体、或いはそれらの組合せから誘導される、請求項1記載の組成物。
【請求項７】
高リン酸塩血症を治療するための医薬組成物であって：  
a)以下の式Iで表される少なくとも1つのアミン化合物又はその残基と：
【化８】
2010504285.tif 000008
(式中、
nは、独立に、1〜20の整数を表し;
R1は、独立に、水素基、ヒドロキシル基又は-OR3を表し;
R1aは、独立に、R1、-R2OH又は-R2OR3を表し;但し、前記アミン化合物は、R3で表される少なくとも1つの部分を含み;
R2は、独立に、置換又は非置換のアルキル基を表し;
R3は、独立に、以下の式IIで表される基を表し:
【化９】
2010504285.tif 000009
p、q及びrは、独立に、0〜2の整数を表し;
R4は、独立に、
【化１０】
2010504285.tif 000010
を表し;
mは、独立に、1〜20の整数を表し;
R5は、独立に、水素基;置換又は非置換のアルキル基;置換又は非置換のアリール基を表し;或いはR5及び隣接するR5は一緒になって、架橋剤の残基、置換又は非置換の脂環式基、置換又は非置換の芳香族基、或いは置換又は非置換の複素環式基を含む結合を表し;或いはR5は、別の化合物又はその残基との結合を表す);
b)架橋剤又はその残基と;
を含むアミンポリマーを含む、前記医薬組成物。
【請求項８】
前記アミン化合物が以下の式IIIで表される、請求項7記載の医薬組成物:
【化１１】
2010504285.tif 000011
。
【請求項９】
前記アミン化合物が以下の式IVで表される、請求項8記載の医薬組成物:
【化１２】
2010504285.tif 000012
。
【請求項１０】
前記アミン化合物が以下の式Vで表される、請求項7記載の医薬組成物:
【化１３】
2010504285.tif 000013
。
【請求項１１】
前記アミン化合物が以下の式VIで表される、請求項10記載の医薬組成物:
【化１４】
2010504285.tif 000014
。
【請求項１２】
前記アミン化合物又はその残基が、エリトロース、トレオース、リボース、アラビノース、キシロース、リキソース、アロース、アルトロース、グルコース、マンノース、グロース、イドース、ガラクトース、タロース、セドヘプツロース、ソルボース、ペンタエリトロース、又はそれらの部分的若しくは完全水素化誘導体、或いはそれらの組合せから誘導される、請求項7記載の医薬組成物。
【請求項１３】
高リン酸塩血症を治療するための医薬組成物であって、
a)i)1つ以上の糖アルコールの残基を含むコア;及び
ii)1つ以上の置換又は非置換のα,β不飽和ニトリルの残基
を含むアミンデンドリマーと;
b)架橋剤又はその残基と;
を含むアミンポリマーを含む、前記医薬組成物。
【請求項１４】
高リン酸塩血症を治療するための医薬組成物であって、
a)置換基の1つ以上が、以下の式XXXIXで表される基を含む1つ以上の置換糖アルコールを含むアミン化合物又はその残基と:
【化１５】
2010504285.tif 000015
(式中、
p、q及びrは、独立に、0〜2の整数を表し;
R4は、独立に、
【化１６】
2010504285.tif 000016
を表し;
ここで、
mは、独立に、1〜20の整数を表し;
R5は、独立に、水素基;置換又は非置換のアルキル基;置換又は非置換のアリール基を表し;或いはR5及び隣接するR5は一緒になって、架橋剤の残基、置換又は非置換の脂環式基、置換又は非置換の芳香族基、或いは置換又は非置換の複素環式基を含む結合を表し;或いはR5は、別の化合物又はその残基との結合を表す);
b)架橋剤又はその残基と;
を含むアミンポリマーを含む、前記医薬組成物。
【請求項１５】
高リン酸塩血症を治療するための医薬組成物であって、
a)以下の式XLで表される複数の単位と:
【化１７】
2010504285.tif 000017
(式中、
R3は、独立に、以下の式II:
【化１８】
2010504285.tif 000018
で表される基を表し、
p、q及びrは、独立に、0〜2の整数を表し;
R4は、独立に、
【化１９】
2010504285.tif 000019
を表し;
mは、独立に、1〜20の整数を表し;
R5は、独立に、水素基;置換又は非置換のアルキル基;置換又は非置換のアリール基を表し;或いはR5及び隣接するR5は一緒になって、架橋剤の残基、置換又は非置換の脂環式基、置換又は非置換の芳香族基、或いは置換又は非置換の複素環式基を含む結合を表し;或いはR5は、別の化合物又はその残基との結合を表す);
b)以下の式XLI:
【化２０】
2010504285.tif 000020
で表される複数の単位と;
を含むポリマーネットワークを含む、前記医薬組成物。
【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
配列Ｒ１ＹＺＲ２（式中、Ｒ１およびＲ２は、親油性置換ヌクレオチド類似体（Ｌ）、ヌクレオチド、および結合からなる群から選択され、Ｒ１およびＲ２のうちの少なくとも１つは、親油性置換ヌクレオチド類似体（Ｌ）であり、Ｙは、ピリミジンヌクレオチドであり、Ｚは、プリン、ピリミジン、または脱塩基残基である）を含むオリゴヌクレオチド。
【請求項２】
Ｌが式Ｉの基を含む、請求項１に記載のオリゴヌクレオチド
【化１】
2010504750.tif 000001
（式中、
Ａ、Ｂ、Ｘ、Ｄ、Ｅ、およびＦは、水素または置換基を有していてもよい、Ｃ（炭素）またはＮ（窒素）から選択され、
ｎは、０または１であり、
点線は、任意選択の二重結合を示し、
少なくとも１つの置換基は、オキソ、チオ、ヒドロキシ、メルカプト、イミノ、アミノ、メチルおよび水素からなる群から選択されることはなく、Ａ、Ｂ、Ｘ、Ｄ、Ｅ、およびＦ原子の合計は、３窒素（Ｎ）以下である）。
【請求項３】
ｎが０または１であり、すべての原子Ａ、Ｂ、Ｘ、Ｄ、Ｅ、Ｆが炭素（Ｃ）あるいは窒素（Ｎ）から選択される、請求項２に記載のオリゴヌクレオチド。
【請求項４】
原子Ａ、Ｂ、Ｘ、Ｄ、Ｅ、Ｆのうちの少なくとも１つが、
Ｆ、Ｃｌ、Ｂｒ、Ｉ、アルキル、アルケニル、アルキニル、ハロゲン化アルキル、ハロゲン化アルケニル、シクロアルキル、Ｏ−アルキル、Ｏ−アルケニル、−ＮＨ−アルキル、−Ｎ（アルキル）２、−Ｓ−アルキル、−ＳＯ−アルキル、−ＳＯ２−アルキル、ニトロ、シアノ、カルボキシルエステル、フェニル、チオフェニル、ベンジル、オキソ、チオ、ヒドロキシ、メルカプト、およびイミノからなる群のメンバーにより置換されており、少なくとも１つの置換基が、オキソ、チオ、ヒドロキシ、メルカプト、イミノ、アミノおよびメチルではない、請求項２に記載のオリゴヌクレオチド。
【請求項５】
式Ｉが置換ピリミジン、置換ウラシル、置換トルエン、置換イミダゾール、置換ピラゾール、置換トリアゾール、５−クロロ−ウラシル、５−ブロモ−ウラシル、５−ヨード−ウラシル、５−エチル−ウラシル、５−プロピル−ウラシル、５−プロピニル−ウラシル、（Ｅ）−５−（２−ブロモビニル）−ウラシルまたは２、４−ジフルオロ−トルエンを含む、請求項２に記載のオリゴヌクレオチド。
【請求項６】
２つの５’Ｒ１ＮＲ１ＹＺ３’モチーフを含む、請求項１に記載のオリゴヌクレオチド。
【請求項７】
Ｙが、シトシン、５−メチル−シトシン、５−ヒドロキシ−シトシン、５−ヒドロキシメチル−シトシン、５−ハロゲノ−シトシン、２−チオ−シトシン、４−チオ−シトシン、Ｎ３−メチル−シトシン、Ｎ４−アルキル−シトシンまたは６−置換シトシンからなる群から選択されるピリミジンを含む、請求項１に記載のオリゴヌクレオチド。
【請求項８】
Ｚが、グアニン、７−デアザグアニン、ヒポキサンチン、７−デアザ−ヒポキサンチン、２−アミノ−プリン、４−チオ−プリン、２、６−ジアミノプリン、８−オキソ−７、８−ジヒドログアニン、７−チア−８−オキソ−７、８−ジヒドログアニン、７−アリル−８−オキソ−７、８−ジヒドログアニン、７−デアザ−８−アザ−グアニン、８−アザ−グアニン、Ｎ１−メチルグアニンまたはプリンからなる群から選択されるプリンを含む、請求項１に記載のオリゴヌクレオチド。
【請求項９】
オリゴヌクレオチドの長さが３〜１００または７〜１００ヌクレオチドである、請求項１に記載のオリゴヌクレオチド。
【請求項１０】
少なくとも１つのパリンドローム配列を含む、請求項１に記載のオリゴヌクレオチド。
【請求項１１】
１〜４個の非メチル化ＣＧジヌクレオチドを含む、請求項１に記載のオリゴヌクレオチド。
【請求項１２】
非ヌクレオチド修飾をさらに含み、ここで、非ヌクレオチド修飾が、Ｃ６〜Ｃ４８−ポリエチレングリコール、Ｃ３〜Ｃ２０−アルカン−ジオール、Ｃ３〜Ｃ１８−アルキルアミノリンカー、Ｃ３〜Ｃ１８−アルキルチオールリンカー、コレステロール、胆汁酸、飽和または不飽和脂肪酸、フォレート、ヘキサデシル−グリセロール、ジヘキサデシル−グリセロール基、オクタデシル−グリセロール、ジオクタデシル−グリセロール基およびビタミンＥ基からなる群から選択される、請求項１に記載のオリゴヌクレオチド。
【請求項１３】
非ヌクレオチドブランチャー部分あるいはヌクレオチドブランチャー部分をさらに含む、請求項１に記載のオリゴヌクレオチド。
【請求項１４】
オリゴヌクレオチドの少なくとも２つのヌクレオチドが安定化された結合を有し、該安定化された結合が、鏡像異性の混合物か鏡像異性的に純粋なＳ−またはＲ−立体配置のどちらかとしての、ホスホロチオエート、ホスホロジチオエート、メチルホスホネート、メチルホスホノチオエート、ボラノホスホネート、ホスホルアミデート、またはデホスホ結合である、請求項１に記載のオリゴヌクレオチド。
【請求項１５】
オリゴヌクレオチドがマイクロキャリアあるいは脂質担体を含まない、請求項１に記載のオリゴヌクレオチド。
【請求項１６】
JU*C-G*A*C*G*T*C*G*A*T*C*G*G*C*G*C*G*C*G*C*C*G*T
(配列番号６０)をふくむオリゴヌクレオチド。
【請求項１７】
JU*C*G*A*C*G*T*C*G*A*T*C*G*G*C*G*C*G*C*G*C*C*G*T
(配列番号６１)をふくむオリゴヌクレオチド。
【請求項１８】
JU*C-G*T*C*G*A*C*G*A*T*C*G*G*C*G*G*C*C*G*C*C*G*T
(配列番号６６)をふくむオリゴヌクレオチド。
【請求項１９】
JU*C*G*T*C*G*A*C*G*A*T*C*G*G*C*G*G*C*C*G*C*C*G*T
(配列番号６７)をふくむオリゴヌクレオチド。
【請求項２０】
免疫細胞を請求項１から１９のいずれか一項に記載のオリゴヌクレオチドと接触させることを含む免疫応答を誘導するための方法。
【請求項２１】
免疫応答を誘導するために使用される請求項１から１９のいずれか一項に記載のオリゴヌクレオチド。
【請求項２２】
対象において自己免疫疾患を治療するために使用される請求項１から１９のいずれか一項に記載のオリゴヌクレオチド。
【請求項２３】
対象において癌を治療するために使用される請求項１から１９のいずれか一項に記載のオリゴヌクレオチド。
【請求項２４】
抗原とともに使用される請求項２３に記載のオリゴヌクレオチド。
【請求項２５】
対象においてウイルス感染を治療するために使用される請求項１から１９のいずれか一項に記載のオリゴヌクレオチド。
【請求項２６】
抗原とともに使用される請求項２５に記載のオリゴヌクレオチド。